(57)【要約】  【課題】  電子化された文書に対して書き込みを行う場合の操作性を向上させ、書き込んだ内容の改竄を抑制することが可能な画像処理装置を提供する。  【解決手段】  文書を画像情報に変換し、第１表示手段３１に画像情報を表示させ、表示させた画像中の書き込みをすべき箇所を拡大した画像を第２表示手段４１に表示させ、位置指示手段４２にて入力された軌跡を、画像に合成して合成画像情報を生成する。【選択図】        図１
2005165668.tif 000002
【特許請求の範囲】
【請求項１】
画像情報に基づく画像を表示手段に表示させ、表示させた画像上の位置を指示する位置指示手段から入力を受け付ける画像処理装置において、
画像情報に基づく画像を第１表示手段に表示させる手段と、
該第１表示手段に表示させた画像の一部又は全部を変倍する手段と、
変倍した画像を第２表示手段に表示させる手段と、
該第２表示手段に表示させた画像上で、位置指示手段により指示された位置の軌跡を受け付ける手段と、
受け付けた軌跡を画像に合成した合成画像を生成する手段と、
生成した合成画像を示す合成画像情報を記録する手段と
を備えることを特徴とする画像処理装置。
【請求項２】
文書を示す文書情報を画像情報に変換する手段を更に備えることを特徴とする請求項１に記載の画像処理装置。
【発明の詳細な説明】
【技術分野】
【０００１】
本発明は画像情報に基づく画像を表示手段に表示させ、表示させた画像に対する処理を行う画像処理装置に関し、特に文書の点検及び校正に用いられる画像処理装置に関する。
【背景技術】
【０００２】
診断履歴、投薬内容、医療費明細等の医療用文書の作成においては、担当者が作成した原文書に対して、点検担当者が点検を行い、修正及び修正の指示を原文書に書き込む作業を行う。このような文書に対して書き込みを行う作業は、医療用文書の校正に限らず、様々な文書に対し、様々な目的で行われる。また情報技術の進展により文書を電子化して管理し、文書に対する書き込みをも電子化した状態で行うことが可能なシステムが普及してきている。
【発明の開示】
【発明が解決しようとする課題】
【０００３】
しかしながらコンピュータの操作、特にキーボードを用いての操作に不慣れな者にとっては、電子化された文書へ書き込みを行う作業は困難であるという作業性に関する問題がある。例えば行間に小さな文字で指示を書くという様な紙媒体に対しては容易に行える作業でもコンピュータを用いて行う場合には困難な作業となる。また電子化された文書に対する書き込みは改竄することが容易であるという問題もある。
【０００４】
本発明は斯かる事情に鑑みてなされたものであり、複数台のモニタを用い、第１のモニタには、画像情報に変換した文書を、例えば頁単位で表示させ、表示させた画像中の書き込みをすべき箇所を拡大した画像を第２のモニタに表示させ、ペン型のポインティングデバイスにて入力された軌跡、即ち筆跡を、文書を変換した画像に合成することにより、作業性に優れ、改竄が困難な画像処理装置の提供を目的とする。
【課題を解決するための手段】
【０００５】
第１発明に係る画像処理装置は、画像情報に基づく画像を表示手段に表示させ、表示させた画像上の位置を指示する位置指示手段から入力を受け付ける画像処理装置において、画像情報に基づく画像を第１表示手段に表示させる手段と、該第１表示手段に表示させた画像の一部又は全部を変倍する手段と、変倍した画像を第２表示手段に表示させる手段と、該第２表示手段に表示させた画像上で、位置指示手段により指示された位置の軌跡を受け付ける手段と、受け付けた軌跡を画像に合成した合成画像を生成する手段と、生成した合成画像を示す合成画像情報を記録する手段とを備えることを特徴とする。
【０００６】
本発明の画像処理装置では、第１表示手段に、例えば画像の全体を表示させ、第２表示手段に書き込みをすべき箇所を表示させることにより、全体及び特定の箇所を同時に確認することが可能であり、第２表示手段に表示された画像に、タブレット用ペン等の位置表示手段の軌跡を合成することにより、紙媒体の文書にペンで書き込みを行う感覚で、容易に書き込み作業を行うことが可能であり、特に書き込みを行いたい箇所を拡大して表示させることができるので、例えば画像中に小さい文字を書き込むことも容易であり、さらに書き込みを画像に合成して合成画像として管理することにより、改竄が困難である。
【０００７】
第２発明に係る画像処理装置は、第１発明において、文書を示す文書情報を画像情報に変換する手段を更に備えることを特徴とする。
【０００８】
本発明の画像処理装置では、文書を画像に変換することにより、診断履歴、投薬内容、医療費明細を記載した医療用文書等の様々な文書の点検、校正、添削等の用途に適用することが可能である。
【発明の効果】
【０００９】
本発明に係る画像処理装置では、文書情報を変換した画像情報を、例えば頁単位で第１表示手段に表示させ、表示された画像中で書き込みをすべき箇所を変倍して第２表示手段に表示させ、第２表示手段に表示させた画像上で、タブレット用ペン等の位置指示手段により指示された位置の軌跡、即ち筆跡を受け付け、受け付けた軌跡を画像に合成した合成画像として記録する。
【００１０】
この構成により、文書の全体及び特定の箇所を同時に視認し、適切な箇所に書き込みを行うことが可能になる等、優れた効果を奏する。また紙媒体の文書にペンで書き込みを行う感覚で、電子化された文書に容易に書き込みを行うことが可能である等、優れた効果を奏する。さらに受け付けた軌跡は画像として取り扱われるので、文書情報と比べて改竄が困難である等、優れた効果を奏する。
【発明を実施するための最良の形態】
【００１１】
以下、本発明をその実施の形態を示す図面に基づいて詳述する。図１は本発明の画像処理装置を用いた画像処理システムを示す概念図である。図１中１０は、パーソナルコンピュータ等の画像処理装置であり、画像処理装置１０は、ＬＡＮ等の通信網１００を介してサーバコンピュータを用いた画像管理装置２０に接続している。さらに画像処理装置１０は、液晶パネル等の表示手段（第１表示手段）３１及びタッチパネル等の入力手段３２を有するタッチパネル式液晶ディスプレイ等の第１入出力装置３０、液晶パネル等の表示手段（第２表示手段）４１及びタブレット用ペン等の位置指示手段４２を有する第２入出力装置４０、プリンタ等の印刷装置５０に接続している。位置指示手段４２とは、第２表示手段４１に表示させた画像上の位置を指示する入力を行うポインティングデバイスと呼ばれる入力手段であり、タブレット用ペン以外に例えばマウス、トラックボールを用いることも可能である。なお図１では、作図の都合上、表示手段３１及び入力手段３２が同一の箇所を指示しているかの如く示されているが、表示手段３１は液晶パネル部分を示し、入力手段３２は液晶パネルの表面を覆う高分子フィルムにて形成されるタッチセンサを示している。
【００１２】
図２は本発明の画像処理装置１０及び該画像処理装置１０に接続する各種装置の構成を示すブロック図である。画像処理装置１０は、装置全体を制御するＣＰＵ１１、本発明の画像処理装置用のコンピュータプログラム及びデータ等の情報を記録したＣＤ−ＲＯＭ等の記録媒体からコンピュータプログラム及びデータ等の情報を読み取るＣＤ−ＲＯＭドライブ等の補助記憶手段１２、該補助記憶手段１２により読み取ったコンピュータプログラム及びデータ等の情報を記録するハードディスク等の記録手段１３、並びに該記録手段１３に記録させたコンピュータプログラムの実行時に一時的に発生するデータを記録するＲＡＭ１４を備えている。そして記録手段１３から本発明の画像処理装置用のコンピュータプログラム及びデータ等の情報を読み取り、ＲＡＭ１４に記憶させて、ＣＰＵ１１により実行することでパーソナルコンピュータは本発明の画像処理装置１０として動作する。さらに画像処理装置１０は、通信網１００に接続する通信手段１５、第１入出力装置３０に接続する第１接続手段１６、第２入出力装置４０に接続する第２接続手段１７、印刷装置５０に接続する第３接続手段１８、並びにマウス及びキーボード等の入力手段１９を備えている。
【００１３】
画像管理装置２０は、ＣＰＵ２１、記録手段２２、ＲＡＭ２３、及び通信手段２４を備え、記録手段２２の記録領域の一部は画像情報を記録する画像情報データベース（画像情報ＤＢ）２２ａとして用いられている。また画像処理装置１０は、通信網１００を介して画像情報データベース２２ａにアクセスし、画像情報の記録／読取を行う。なお画像処理装置１０の記録手段１３に画像情報データベースを確保するようにしても良い。
【００１４】
第１入出力装置３０は、表示手段３１、入力手段３２、ＣＰＵ３３、各種プログラム及びデータを記録しているＲＯＭ３４、ＲＡＭ３５及び接続手段３６を備えている。
【００１５】
第２入出力装置４０は、表示手段４１、位置指示手段４２、ＣＰＵ４３、ＲＯＭ４４、ＲＡＭ４５及び接続手段４６を備えている。
【００１６】
印刷装置５０は、ＣＰＵ５１、ＲＯＭ５２、ＲＡＭ５３、紙媒体に画像を形成する印刷手段５４及び接続手段５５を備えている。
【００１７】
次に本発明の画像処理装置１０の処理について説明する。図３は本発明の画像処理装置１０の画像情報生成処理を示すフローチャートである。操作者は、画像処理装置１０を操作し、画像情報として保存すべき文書の作成を行い、作成した電子化文書を画像情報に変換して記録させる操作を行う。画像処理装置１０は、ＣＰＵ１１の制御により、操作者の操作を受け付け、電子化文書を示す文書情報を、ＢＭＰ、ＰＮＧ、ＴＩＦＦ等の形式の画像情報に変換し（Ｓ１０１）、画像管理装置２０が備える画像情報データベース２２ａにアクセスして、文書情報から変換した画像情報を画像情報データベース２２ａに記録する（Ｓ１０２）。
【００１８】
図４は本発明の画像処理装置１０の書込処理を示すフローチャートである。操作者は、画像処理装置１０を操作して、画像管理装置２０が備える画像情報データベース２２ａにアクセスさせ、画像情報データベース２２ａに記録されている画像情報を指定する入力を入力手段１９により行う。画像処理装置１０は、ＣＰＵ１１の制御により、入力手段１９から画像情報を指定する入力を受け付け（Ｓ２０１）、受け付けた入力に基づいて画像情報データベース２２ａに記録されている画像情報を読み取り（Ｓ２０２）、読み取った画像情報に基づく画像を第１入出力装置３０が備える表示手段３１に表示させる（Ｓ２０３）。
【００１９】
図５は本発明の画像処理装置１０の処理により表示手段３１から表示される画像を示す説明図である。表示手段３１に表示された画像は、元の文書を頁単位で表示させた画像であり、医療関係費用の明細を示している。また画面の右側には表示させている画像に関する命令が示されており、必要に応じて示されている命令を指示することにより、次頁の表示、前頁の表示等の表示頁の切り換え、及び印刷等の処理を実行することができる。操作者は表示手段３１に表示された頁単位の文書を確認し、校正、添削等を目的とする書き込みを要すると判断した場合、書き込みを行うべき箇所を指定する入力を行う。ここでは図中太線で示した範囲を指定する操作を行ったものとする。
【００２０】
フローチャートに戻り、画像処理装置１０は、ＣＰＵ１１の制御により、第１入出力装置３０が備える入力手段３２から、表示手段３１に表示させた画像の一部又は全部を指定する入力を受け付け（Ｓ２０４）、指定を受け付けた範囲の画像を変倍、ここでは拡大し（Ｓ２０５）、拡大した画像を第２入出力装置４０が備える表示手段４１に表示させる（Ｓ２０６）。
【００２１】
図６は本発明の画像処理装置１０の処理により表示手段４１から表示される画像を示す説明図である。図６は、図５中太線で示した範囲を拡大した画像であり、薬剤の名称、単位量、処方量等の情報が示されている。操作者は表示された画像を確認し、書き込みを行うべき位置に対し、位置指示手段４２を用いて入力を行う。具体的な操作方法としては、タブレット用ペンである位置指示手段４２を、表示手段４１又は専用のタブレットに接触させ、文字を記入する動作を行う。
【００２２】
フローチャートに戻り、画像処理装置１０は、ＣＰＵ１１の制御により、第２入出力装置４０が備える位置指示手段４２により指示された位置の軌跡を受け付け（Ｓ２０７）、受け付けた軌跡を第２入出力装置４０が備える表示手段４１に表示させる（Ｓ２０８）。
【００２３】
図７は本発明の画像処理装置１０の処理により表示手段４１から表示される画像を示す説明図である。図７では、図６に示した画像に、位置指示手段４２から受け付けた軌跡を重畳した図を示しており、「（１）ノルパスク錠５ｍｇ」という文字が示された箇所を囲む軌跡と、「２８」を囲む軌跡と、その下方に訂正を意味する「２０」という軌跡が示されている。なお右方に表示されているのは、画像処理装置１０の付箋機能に基づく画像であり、付箋機能により、図６に示した画像中への書き込みだけでは不十分な場合に、別のウィンドウを開くことにより更なる情報の追加及び書き込みを行うことができる。この機能を用いて追加した情報は、画像情報に対応付けて画像情報データベース２２ａに記録される。
【００２４】
フローチャートに戻り、画像処理装置１０は、ＣＰＵ１１の制御により、書き込みを完了したことを示す入力を受け付け、受け付けた入力に基づいて、ステップＳ２０７にて受け付けた軌跡を画像に合成した合成画像を生成し（Ｓ２０９）、画像管理装置２０が備える画像情報データベース２２ａにアクセスして、生成した合成画像を示す合成画像情報を、画像情報データベース２２ａに記録する（Ｓ２１０）。画像情報データベース２２ａに記録された合成画像情報は、必要に応じて、第１入出力装置３０が備える第１表示手段３１から表示させ、また印刷装置５０から紙媒体上に画像を形成し出力させることができる。
【００２５】
前記実施の形態では、書類の点検及び校正に適用する形態を示したが、本発明はこれに限らず、試験の回答に対する添削等の文書に対して書き込みを必要とする形態であれば、様々な用途に適用することが可能である。また前記実施の形態では、第１表示手段に表示した画像の一部を拡大して第２表示手段に表示する形態を示したが、本発明はこれに限らず、画像全体を縮小して第２表示手段に表示する等、様々な形態に展開することが可能である。
【図面の簡単な説明】
【００２６】
【図１】本発明の画像処理装置を用いた画像処理システムを示す概念図である。
【図２】本発明の画像処理装置及び該画像処理装置に接続する各種装置の構成を示すブロック図である。
【図３】本発明の画像処理装置の画像情報生成処理を示すフローチャートである。
【図４】本発明の画像処理装置の書込処理を示すフローチャートである。
【図５】本発明の画像処理装置の処理により表示手段から表示される画像を示す説明図である。
【図６】本発明の画像処理装置の処理により表示手段から表示される画像を示す説明図である。
【図７】本発明の画像処理装置の処理により表示手段から表示される画像を示す説明図である。
【符号の説明】
【００２７】
１０  画像処理装置
２０  画像管理装置
２２ａ  画像情報データベース（画像情報ＤＢ）
３０  第１入出力装置
３１  表示手段（第１表示手段）
３２  入力手段
４０  第２入出力装置
４１  表示手段（第２表示手段）
４２  位置指示手段
５０  印刷装置
１００  通信網
【図１】
2005165668.tif 000003
【図２】
2005165668.tif 000004
【図３】
2005165668.tif 000005
【図４】
2005165668.tif 000006
【図５】
2005165668.tif 000007
【図６】
2005165668.tif 000008
【図７】
2005165668.tif 000009